【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
無線ネットワークにおいて伝送を管理する方法であって、
前記無線ネットワーク内の各ｒｅａｄｙノードによる伝送許可要求を送信するステップ（Ｓ３０５）を含み、各ｒｅａｄｙノードは伝送する準備ができた前記無線ネットワークのノードであり、各要求は宛先である前記ネットワーク内のノードを識別し、各要求は制御チャネル上で送信され、前記方法はさらに、
各宛先ノードが前記宛先ノードに隣接する前記ｒｅａｄｙノードのそれぞれの伝送優先順位に基づいてブロックメッセージを隣接ノードに選択的に送信するように、各宛先ノードにおいてブロック操作を実行するステップ（Ｓ３１０）を含み、前記ブロックメッセージは伝送しないように前記隣接ノードに指示し、前記方法はさらに、
前記ｒｅａｄｙノードの伝送状態をアナウンスするために各ｒｅａｄｙノードにおいてアナウンス操作を実行するステップ（Ｓ３２０）（Ｓ３３５）を含み、前記伝送状態は伝送不可状態および伝送可状態のうちの１つであり、前記伝送不可状態は少なくとも１つの未許可ブロックメッセージが前記ｒｅａｄｙノードによって受信されている状態であり、前記伝送可状態は未許可ブロックメッセージが前記ｒｅａｄｙノードにおいて受信されていない状態であり、前記方法はさらに、
各宛先ノートが各隣接ノードの伝送状態に基づいてブロックメッセージおよびクリアメッセージを選択的に隣接ノードに送信するように、ブロック／クリア操作を各宛先ノードにおいて実行するステップ（Ｓ３２５）を含み、前記クリアメッセージは前記宛先ノードによって以前送信された任意のブロックメッセージをクリアし、前記方法はさらに、
前記アナウンスおよびブロック／クリア操作を複数の反復にわたって繰り返すステップと、
伝送可状態のｒｅａｄｙノードからペイロードチャネルを介して伝送を送信するステップとを含む、方法。
【請求項２】
各宛先ノードにおける前記ブロック操作は、
前記宛先ノードに隣接する各ｒｅａｄｙノードの優先順位番号を決定するステップと、
前記宛先ノードもまたｒｅａｄｙノードである場合、前記宛先ノードの優先順位番号を決定するステップと、
前記決定された優先順位番号に基づいてブロックされるべきノードを決定するステップと、
ブロックされるよう決定されたノードの各々にブロックメッセージを送信するステップとを含む、請求項１に記載の方法。
【請求項３】
ブロックされるべきノードを決定する前記ステップは、各宛先ノードについて、
前記宛先ノードがｒｅａｄｙノードであるときには、前記宛先ノードに隣接するｒｅａｄｙノードおよび前記宛先ノードを含むセットから最高の優先順位番号を持つｒｅａｄｙノードを決定するステップと、
前記宛先ノードが前記セットの間で最高の優先順位番号を有すると決定されるときには、前記宛先ノードへの伝送許可を要求する前記ｒｅａｄｙノードをブロックするよう決定するステップと、
前記セットの間で最高の優先順位番号を有すると決定された前記ｒｅａｄｙノードが前記宛先ノード以外のノードへの伝送許可を要求したときには、前記宛先ノードへの伝送許可を要求した前記宛先ノードに隣接する前記ｒｅａｄｙノードをブロックするよう決定するステップと、
前記セットの間で最高の優先順位番号を有すると決定された前記ｒｅａｄｙノードが前記宛先ノードへの伝送許可を要求したときには、このノードを除いて、前記宛先ノードに隣接する前記ｒｅａｄｙノードをブロックするよう決定するステップとを含む、請求項２に記載の方法。
【請求項４】
各ｒｅａｄｙノードにおける前記アナウンス操作は、
前記ｒｅａｄｙノードが少なくとも１つの未許可ブロックメッセージを受信している場合、前記ｒｅａｄｙノードが前記送信不可状態にあることを指示するアナウンスメッセージを送信するステップと、
前記ｒｅａｄｙノードが少なくとも１つの未許可ブロックメッセージを受信していない場合、前記ｒｅａｄｙノードが前記送信可状態にあることを指示するアナウンスメッセージを送信するステップとを含む、請求項１に記載の方法。
【請求項５】
前記ブロック／クリア操作は、各隣接ノードの前記伝送状態および各隣接ノードの前記伝送優先順位に基づいてブロックメッセージまたはクリアメッセージを隣接ノードに選択的に送信するように、各宛先ノードにおいて実行される、請求項１に記載の方法。
【請求項６】
実行される前記ブロック／クリア操作は、各宛先ノードについて、
前記宛先ノードに隣接する各ｒｅａｄｙノードの優先順位番号を決定するステップと、
前記宛先ノードもまたｒｅａｄｙノードであるときには、前記宛先ノードの優先順位番号を決定するステップと、
前記宛先ノードがｒｅａｄｙノードであるときには、前記宛先ノードに隣接するｒｅａｄｙノードおよび前記宛先ノードを含むセットから最高の優先順位番号を持つｒｅａｄｙノードを決定するステップと、
前記宛先ノードが前記セットの間で最高の優先順位番号を有すると決定されるときには、前記宛先ノードへの伝送許可を要求する前記ｒｅａｄｙノードをブロックするよう決定するステップと、
前記セットの間で最高の優先順位番号を有すると決定された前記ｒｅａｄｙノードが前記宛先ノード以外のノードへの伝送許可を要求したときには、前記宛先ノードへの伝送許可を要求した前記宛先ノードに隣接する前記ｒｅａｄｙノードをブロックするよう決定するステップと、
前記セットの間で最高の優先順位番号を有すると決定された前記ｒｅａｄｙノードが前記宛先ノードへの伝送許可を要求したときには、このノードを除いて、前記宛先ノードに隣接する前記ｒｅａｄｙノードをブロックするよう決定するステップと、
前記宛先ノードに隣接するノードが伝送可状態にはなく、最高の優先順位番号を持つ前記ｒｅａｄｙノードが前記宛先ノード以外のノードへの伝送許可を要求したときには、前記宛先ノード以外のノードへの伝送許可を要求した前記宛先ノードに隣接する前記ｒｅａｄｙノードをクリアするよう決定するステップと、
前記宛先ノードに隣接するノードが伝送可状態にはなく、識別された隣接ノードが前記宛先ノードへの伝送許可を要求するときには、前記宛先ノードに隣接する前記識別されたノードをクリアするよう決定するステップとを含み、前記識別された隣接ノードは最高の優先順位番号を持つ前記宛先ノードに隣接するノードである、請求項１に記載の方法。
【請求項７】
前記ペイロードチャネルで伝送を受信する各宛先ノードから、前記ペイロードチャネルを介して確認応答を送信するステップをさらに備える、請求項１に記載の方法。
【請求項８】
前記宛先ノードの優先順位番号を決定する前記ステップは、前記宛先ノードの通し番号に基づいて前記優先順位番号を決定する、請求項２に記載の方法。
【請求項９】
各ｒｅａｄｙノードの優先順位番号を決定する前記ステップは、各ｒｅａｄｙノードにおいてフィードバックシフトレジスタを使用して各ｒｅａｄｙノードの異なる優先順位番号を生成する、請求項２に記載の方法。
【請求項１０】
前記フィードバックシフトレジスタは前記タイムスロット速度でクロック制御される、請求項９に記載の方法。
【請求項１１】
宛先ノードにおいて無線ネットワークの伝送を管理する方法であって、
宛先ノードにおいて、少なくとも１つのｒｅａｄｙノードから伝送許可要求を受信するステップを含み、前記要求は制御チャネルを介して送信され、前記方法はさらに、
前記少なくとも１つのｒｅａｄｙノードの伝送優先順位に基づいてブロックメッセージを少なくとも１つの隣接ノードに選択的に送信することによりブロック操作を実行するステップを含み、前記ブロックメッセージは伝送しないように前記少なくとも１つの隣接ノードに指示し、前記方法はさらに、
前記少なくとも１つのｒｅａｄｙノードから伝送状態のアナウンスを受信するステップを含み、前記伝送状態は、（ｉ）伝送不可状態、および（ｉｉ）伝送可状態、のうちの１つであり、前記伝送不可状態は、少なくとも１つの未許可ブロックメッセージが前記ｒｅａｄｙノードによって受信されている状態であり、前記伝送可状態は、未許可ブロックメッセージが前記ｒｅａｄｙノードによって受信されていない状態であり、前記方法はさらに、
前記少なくとも１つの隣接ノードの各々の前記伝送状態に基づいて、（ｉ）さらなるブロックメッセージ、および（ｉｉ）クリアメッセージ、のうちの少なくとも１つを前記少なくとも１つの隣接ノードに選択的に送信することによりブロック／クリア操作を実行するステップを含み、前記クリアメッセージは以前送信されたブロックメッセージをクリアし、前記方法はさらに、
前記ブロック／クリア操作ステップを複数の反復にわたって繰り返すステップと、
伝送可状態のペイロードチャネルを介して伝送を受信するステップとを含む、方法。
【請求項１２】
前記ブロック操作は、前記宛先ノードに隣接する各ｒｅａｄｙノードの優先順位番号を決定するステップと、
前記宛先ノードもまたｒｅａｄｙノードであるときには、前記宛先ノードの優先順位番号を決定するステップと、
前記決定された優先順位番号に基づいてブロックされるべきノードを決定するステップと、
ブロックされるべき前記ノードの各々にブロックメッセージを送信するステップとを含む、請求項１１に記載の方法。
【請求項１３】
ブロックされるべきノードを決定する前記ステップは、
前記宛先ノードがｒｅａｄｙノードである場合、セットから最高の優先順位番号を持つノードを決定するステップを含み、前記セットは前記宛先ノードに隣接する前記ｒｅａｄｙノードの各々および前記宛先ノードの前記優先順位番号を含み、前記方法はさらに、
前記宛先ノードが前記セットの間で最高の優先順位番号を有すると決定されるときには、前記宛先ノードへの伝送許可を要求するｒｅａｄｙノードをブロックするよう決定するステップと、
前記セットの間で最高の優先順位番号を持つ前記ノードが前記宛先ノード以外のノードへの伝送許可を要求したときには、前記宛先ノードへの伝送許可を要求する前記宛先ノードに隣接する前記ｒｅａｄｙノードをブロックするよう決定するステップと、
特定のｒｅａｄｙノードが前記セットの間で最高の優先順位番号を有すると決定されたとき、および前記特定のｒｅａｄｙノードが前記宛先ノードへの伝送許可を要求したときには、前記特定のｒｅａｄｙノードを除いて、前記宛先ノードに隣接するｒｅａｄｙノードをブロックするよう決定するステップとを含む、請求項１２に記載の方法。
【請求項１４】
前記ブロック／クリア操作を実行するステップは、
各隣接ノードの前記伝送状態および各隣接ノードの前記伝送優先順位に基づいて、（ｉ）ブロックメッセージ、および（ｉｉ）クリアメッセージ、の少なくとも１つを隣接ノードに選択的に送信するステップをさらに含む、請求項１１に記載の方法。
【請求項１５】
前記ブロック／クリア操作を実行するステップは、
前記宛先ノードに隣接する各ｒｅａｄｙノードの優先順位番号を決定するステップと、
前記宛先ノードもまたｒｅａｄｙノードであるときには、前記宛先ノードの優先順位番号を決定するステップと、
前記宛先ノードがｒｅａｄｙノードであるときには、セットから最高の優先順位番号を持つノードを決定するステップを含み、前記セットは前記宛先ノードに隣接する前記ｒｅａｄｙノードの各々および前記宛先ノードの前記優先順位番号を含み、さらに、
前記宛先ノードが前記セットの間で最高の優先順位番号を有すると決定されるときには、前記宛先ノードへの伝送許可を要求するｒｅａｄｙノードをブロックするよう決定するステップと、
前記セットの間で最高の優先順位番号を持つ前記ノードが前記宛先ノード以外のノードへの伝送許可を要求したときには、前記宛先ノードへの伝送許可を要求する前記宛先ノードに隣接する前記ｒｅａｄｙノードをブロックするよう決定するステップと、
特定のｒｅａｄｙノードが前記セットの間で最高の優先順位番号を有すると決定されたとき、および前記特定のｒｅａｄｙノードが前記宛先ノードへの伝送許可を要求したときには、前記特定のｒｅａｄｙノードを除いて、前記宛先ノードに隣接するｒｅａｄｙノードをブロックするよう決定するステップと、
前記宛先ノードに隣接するノードが伝送可状態にはなく、最高の優先順位番号を持つ前記ノードが前記宛先ノード以外のノードへの伝送許可を要求したときには、前記宛先ノード以外のノードへの伝送許可を要求した前記宛先ノードに隣接する前記ｒｅａｄｙノードをクリアするよう決定するステップと、
前記宛先ノードに隣接するノードが伝送可状態にはなく、識別された隣接ノードが前記宛先ノードへの伝送許可を要求するときには、前記宛先ノードに隣接する前記識別されたノードをクリアするよう決定するステップを含み、前記識別された隣接ノードは最高の優先順位番号を持つ前記宛先ノードに隣接するノードである、請求項１１に記載の方法。
【請求項１６】
前記宛先ノードから、前記ペイロードチャネルを介して確認応答を送信するステップをさらに含む、請求項１１に記載の方法。
【請求項１７】
前記優先順位番号を決定する前記ステップは、前記ｒｅａｄｙノードの前記通し番号および前記宛先ノードの追加の通し番号に基づいて前記優先順位番号を決定する、請求項１２に記載の方法。
【請求項１８】
優先順位番号を決定する前記ステップは、前記少なくとも１つのｒｅａｄｙノードの各々においてフィードバックシフトレジスタを使用して異なる優先順位番号を生成する、請求項１２に記載の方法。
【請求項１９】
前記フィードバックシフトレジスタは前記タイムスロット速度でクロック制御される、請求項１８に記載の方法。
【請求項２０】
ｒｅａｄｙノードにおいて無線ネットワークの伝送を管理する方法であって、
ｒｅａｄｙノードから伝送許可要求を送信するステップを含み、前記ｒｅａｄｙノードは伝送準備のできたノードであり、前記要求は、（ｉ）少なくとも１つの宛先ノードを識別し、（ｉｉ）制御チャネルを介して送信され、前記方法はさらに、
（ｉ）前記ｒｅａｄｙノードが少なくとも１つの未許可ブロックメッセージを受信しているときには、前記ｒｅａｄｙノードが伝送不可状態にあることを指示する第１のアナウンスメッセージを送信し、そして、（ｉｉ）前記ｒｅａｄｙノードが少なくとも１つの未許可ブロックメッセージを受信していないときには、前記ｒｅａｄｙノードが伝送可状態にあることを指示する第２のアナウンスメッセージを送信する、ことによりアナウンス操作を実行するステップを含み、前記伝送状態は伝送不可状態および伝送可状態のうちの１つであり、
前記伝送不可状態は少なくとも１つの未許可ブロックメッセージが前記ｒｅａｄｙノードによって受信されている状態であり、
前記伝送可状態は、未許可ブロックメッセージが前記ｒｅａｄｙノードによって受信されていない状態であるように、前記方法はさらに、
前記実行するステップを複数の反復にわたって繰り返すステップと、
伝送可状態のペイロードチャネルを介して伝送を送信するステップとを含む方法。